(57)【要約】【課題】ワークを挟み止めているときに、ワークの浮き上がりを防止可能であり、そして磁力吸引部のワークを吸引する磁力の有無状態を切替えることができる磁力付き万力を提供する。【解決手段】水平に置かれた実質的に板状の固定部と、前記固定部の対立する側部に各々垂直に固設された、押付面と、前記押付面に対応する突起と、前記突起に螺入され、水平に出退するねじ軸と、前記ねじ軸と係合し、前記ねじ軸の出退に連動して出退し、前記押付面に対向する挟止面を有する自在部と、前記固定部の下方に接して前記固定部に対して固設された磁力吸引部と、を備える。【選択図】図２
0003163702.tif 000002
【実用新案登録請求の範囲】
【請求項１】
水平に置かれた実質的に板状の固定部（１０）と、
前記固定部の対立する側部に各々垂直に固設された、押付面（１１）と、前記押付面（１１）に対応する突起（１２）と、
前記突起（１２）に螺入され、水平に出退するねじ軸（２０）と、
前記ねじ軸（２０）と係合し、前記ねじ軸（２０）の出退に連動して出退し、前記押付面（１１）に対向する挟止面（３１）を有する自在部（３０）と、
前記固定部（１０）の下方に接して前記固定部に対して固設された磁力吸引部（４０）と、
を備えることを特徴とする磁力付き万力。
【請求項２】
前記磁力吸引部（４０）は永久磁石を含むことを特徴とする、請求項１に記載の磁力付き万力。
【請求項３】
前記磁力吸引部（４０）に設けた開口を介して前記磁力吸引部（４０）の内部に、棒状の永久磁石からなる挿入ロッド（４１）が回動しながら挿入され、前記挿入ロッド（４１）の先端の挿入位置を回動により変更することにより、前記磁力吸引部（４０）の磁力の有無状態を切替えることができることを特徴とする、請求項１に記載の磁力付き万力。
【考案の詳細な説明】
【技術分野】
【０００１】
本考案は、万力に係り、特に、磁力によりワークを固定することができる磁力付き万力に関するものである。
【背景技術】
【０００２】
図１を参照すると、従来の万力は、固定部１と、自在部２と、ねじ軸３と、を含む。固定部１の両側には、押付面４と、押付面４の対応する突起５と、が設けられる。ねじ軸３は、突起５に螺入され、その末端が自在部２と係合し、その出退により自在部２が連動して出退する。自在部２には、押付面４に対向する挟止面６が設けられる。
【０００３】
上記の構成によれば、ワーク（図示せず）を挟み止めたいときには、固定部１の上に前記ワークを置いて、ねじ軸３を回転することにより、挟止面６が押付面４に近接するように、自在部２を移動し、そうすると、前記ワークを挟み止めることができる。
【０００４】
しかしながら、このような万力によれば、挟止面６と押付面４とが前記ワークの下部と接触するので、前記ワークを挟み止めているときに、前記ワークが若干、浮き上がり易い。このような問題を解決するために、ハンマーなどによって前記ワークを固定部１へ敲き下げることが必要である。そうすると、このような万力の利用は極めて面倒である。
【考案の概要】
【考案が解決しようとする課題】
【０００５】
本考案の主な目的は、ワークを挟み止めているときに、ワークの浮き上がりを防止できる、磁力付き万力を提供することにある。
【０００６】
本考案の他の目的は、ワークを吸引する磁力の有無状態を切替えることができる、磁力付き万力を提供することにある。
【課題を解決するための手段】
【０００７】
本考案の磁力付き万力によると、水平に置かれた実質的に板状の固定部と、前記固定部の対立する側部に各々垂直に固設された、押付面と、前記押付面に対応する突起と、前記突起に螺入され、水平に出退するねじ軸と、前記ねじ軸と係合し、前記ねじ軸の出退に連動して出退し、前記押付面に対向する挟止面を有する自在部と、前記固定部の下部に固設された磁力吸引部と、を備えることを特徴とする。
【０００８】
本考案の磁力付き万力によると、前記磁力吸引部は永久磁石を含むことを特徴とする。
【０００９】
本考案の磁力付き万力によると、前記磁力吸引部に設けた開口を介して前記磁力吸引部の内部に、棒状の永久磁石からなる挿入ロッドが回動しながら挿入され、前記挿入ロッドの先端の挿入位置を回動により変更することにより、前記磁力吸引部の磁力の有無状態を切替えることを特徴とする。
【考案の効果】
【００１０】
本考案の磁力付き万力によれば、次のような効果がある。
（１）ワークを挟み止めているときに、ワークの浮き上がりを防止可能である。
【００１１】
（２）磁力吸引部に挿入される磁力挿入ロッドを回転することにより、磁力吸引部のワークを吸引する磁力の有無状態を切替えることができる。
【図面の簡単な説明】
【００１２】
【図１】従来の万力の構造を示す斜視図である。
【図２】本考案の磁力付き万力の構造を示す斜視図である。
【図３】本考案の磁力吸引部に磁力を与えた状態の模式図である。
【考案を実施するための形態】
【００１３】
以下、本考案の実施の形態を図面に基づいて説明する。
まず、図２を参照する。本考案の磁力付き万力は、固定部１０と、ねじ軸２０と、自在部３０と、磁力吸引部４０と、を含む。固定部１０は概ね長方形の板状で水平に置かれる。
固定部１０の対立する側辺部に、各々、押付面１１と、押付面１１に対応する突起１２と、が垂直に固設される。
ねじ軸２０は突起１２に螺入され、水平に出退する。
自在部３０は、ねじ軸２０の末端と係合し、ねじ軸２０の出退に連動して出退する、押付面１１に対向する挟止面３１を有する。
【００１４】
磁力吸引部４０は、固定部１０の下方に接して前記固定部に対して固設されており、その形状は概ね直方体をなし、材質として永久磁石又は電磁石を含む。
一実施形態では、磁力吸引部４０の実質的に全体が、永久磁石又は電磁石から構成される。
他の実施形態では、磁力吸引部４０の押付面に近接する部分、即ち、後述するワーク５０を挟み止める位置に対応する部分が、永久磁石又は電磁石から構成される。
【００１５】
図３を参照する。本考案の磁力吸引部４０に設けられた開口（図示せず）を介して磁力吸引部４０の内部に、棒状の永久磁石からなる挿入ロッド４１が回動しながら挿入される。
挿入ロッド４１の挿入位置を回動により変更すると、磁力吸引部４０の磁力の有無状態を切替えることができる。即ち、挿入ロッド４１を回動することにより、図２に示すような磁力無し状態と、図３に示すような磁力有り状態と、を切替えることができる。
【００１６】
磁力吸引部４０の磁極面及び挿入ロッドの磁極面と挿入方向・先端の挿入位置は多様にとることができる。
本実施の形態では、磁力吸引部４０の磁極面Ｎ、Ｓは、磁力吸引部４０の上面（固定部１０に接する）と下面とし、挿入ロッド４１の磁極面は長手方向の両端の面であり、挿入ロッド４１は、磁力吸引部４０の、突起１２の下方に位置する側面の中央に設けた開口を介して磁力吸引部４０の内部に、ねじ軸と平行に挿入され、挿入ロッド４１の先端（図示せず）は押付面１１又は押付面の下方に到達する。
【００１７】
磁力吸引部４０が磁力無し状態にあるときに、固定部１０の上にワーク５０を置き、次に磁力吸引部４０を磁力有り状態にして、磁力による吸引力により、固定部１０にワークを固定できる。
自在部３０の挟止面３１が押付面１１に近接することによりワーク５０を挟み止めるように、ねじ軸２０を回転する。その際、磁力吸引部４０の磁力による吸引力により、ワーク５０が固定部１０に緊密に吸引され、ワーク５０の浮き上がりを防止できる。
【００１８】
本考案において、この構成は特に磁力吸引部４０が永久磁石を含む場合に有効である。なぜならば、永久磁石は電磁石と異なり単独ではその発生磁力の有無を切替えることが不可能であるからである。
【００１９】
このように、本考案を、特定の例を参照して説明したが、それらの例は、説明のためだけのものであり、本考案を限定するものではなく、この分野に通常の知識を有する者には、本考案の要旨および実用新案登録請求の範囲を逸脱することなく、ここで開示された実施例に変更、追加、または、削除を施してもよいことがわかるであろう。
【産業上の利用可能性】
【００２０】
本考案は、万力に適用できる。
【符号の説明】
【００２１】
１  固定部
２  自在部
３  ねじ軸
４  押付面
５  突起
６  挟止面
１０  固定部
１１  押付面
１２  突起
２０  ねじ軸
３０  自在部
３１  挟止面
４０  磁力吸引部
４１  挿入ロッド
５０  ワーク
【図１】
0003163702.tif 000003
【図２】
0003163702.tif 000004
【図３】
0003163702.tif 000005